(57)【要約】【課題】凸部が形成された拡散板を用いる場合に、表示部での輝度に偏り（むら）が発生するのを抑制することが可能な表示装置を提供する。【解決手段】この液晶表示装置１００（表示装置）は、液晶パネル３３と、液晶パネル３３に光を照射するための発光部４１ａを含むＬＥＤ４１と、発光部４１ａからの光を拡散するための拡散粒子を含み、ＬＥＤ４１側の表面４３ａのうち、少なくともＬＥＤ４１の発光部４１ａに対応する領域においてＬＥＤ４１側になだらかな曲面状に突出する凸部５０が一体的に形成された拡散板４３とを備える。【選択図】図３
2012221779.tif 000002
【特許請求の範囲】
【請求項１】
表示部と、
前記表示部に光を照射するための発光部を含む発光素子と、
前記発光部からの光を拡散するための拡散粒子を含み、前記発光素子側の第１表面のうち、少なくとも前記発光素子の発光部に対応する領域において前記発光素子側になだらかな曲面状に突出する第１凸部が一体的に形成された拡散板とを備える、表示装置。
【請求項２】
前記拡散板の第１凸部は、前記発光素子の発光部に対応する領域で突出量が最大になるように形成されている、請求項１に記載の表示装置。
【請求項３】
前記発光素子は、複数設けられており、
前記拡散板の第１凸部は、複数設けられているとともに、前記複数の発光素子の発光部に対応する領域に各々形成されており、かつ、なだらかな曲面部により互いに接続されている、請求項１または２に記載の表示装置。
【請求項４】
前記拡散板では、前記複数の発光素子の発光部に対応する領域に各々形成された凸状の球面部と、前記凸状の球面部同士を接続する領域に形成された凹状の前記曲面部とがなだらかな曲面状に接続されている、請求項３に記載の表示装置。
【請求項５】
前記拡散板には、前記発光素子とは反対側の第２表面のうち、少なくとも前記発光素子の発光部に対応する領域において前記発光素子とは反対側に突出する第２凸部がさらに一体的に形成されている、請求項１〜４のいずれか１項に記載の表示装置。
【請求項６】
前記拡散板の第２凸部は、前記発光素子の発光部に対応する領域で突出量が最大になるように形成されている、請求項５に記載の表示装置。
【請求項７】
前記拡散板の前記第１凸部と前記第２凸部とは、前記拡散板の厚み方向の略中央を境として略鏡像対称になるように形成されている、請求項５または６に記載の表示装置。
【請求項８】
前記発光素子は、前記第１凸部が一体的に形成された前記拡散板を介するとともに、導光板を介さずに前記表示部に対して光を照射するように構成されている、請求項１〜７のいずれか１項に記載の表示装置。
【請求項９】
表示部と、
前記表示部に光を照射するための発光部を含む発光素子と、
前記発光部からの光を拡散するための拡散粒子を含み、前記発光素子側の第１表面のうち、少なくとも前記発光素子の発光部に対応する領域において前記発光素子側になだらかな曲面状に突出する第１凸部が一体的に形成された拡散板とを備える、表示モジュール。
【発明の詳細な説明】
【技術分野】
【０００１】
この発明は、表示装置および表示モジュールに関し、特に、拡散板を備えた表示装置および表示モジュールに関する。
【背景技術】
【０００２】
従来、拡散板を備えた表示装置および表示モジュールが知られている（たとえば、特許文献１参照）。
【０００３】
上記特許文献１には、液晶パネルと、液晶パネルの背面側に配置され、液晶パネルに光を照射するバックライトユニットとを備えた液晶表示装置が開示されている。この特許文献１に記載の液晶表示装置のバックライトユニットでは、液晶パネル側から、光学シート、平板状の拡散板および光源ランプがこの順に配置されている。また、光学シートは、偏光分離シートと、偏光分離シートの液晶パネル側の表面上に形成され、液晶パネル側に突出する半球状の複数のレンズ部と、偏光分離シートの拡散板側の表面上に形成された散乱反射膜とから構成されている。ここで、複数のレンズ部が互いに隣接して配置されることにより、複数のレンズ部同士の接続領域（境界領域）は、偏光分離シート側に鋭角的に尖るように構成されている。
【先行技術文献】
【特許文献】
【０００４】
【特許文献１】特開２００７−３０４３９８号公報
【発明の概要】
【発明が解決しようとする課題】
【０００５】
しかしながら、たとえば、上記特許文献１に記載の液晶表示装置の平板状の拡散板の表面に、上記特許文献１に記載の液晶表示装置に設けられた半球状のレンズ部（凸部）と同じレンズ部（凸部）が形成された場合には、拡散板の個々のレンズ部が形成された領域の端部（境界領域）が急峻な表面形状を有すると考えられる。この場合、急峻な表面形状を有する境界領域において光がほとんど拡散されないため、境界領域の周辺において光が十分に液晶パネル側に照射されなくなると考えられる。このため、境界領域の周辺に対応する液晶パネルの領域が境界領域や他の領域よりも輝度が低下して暗くなることに起因して、液晶パネル（表示部）の輝度に偏り（むら）が発生するという問題点があると考えられる。
【０００６】
この発明は、上記のような課題を解決するためになされたものであり、この発明の１つの目的は、凸部が形成された拡散板を用いる場合に、表示部での輝度に偏り（むら）が発生するのを抑制することが可能な表示装置および表示モジュールを提供することである。
【課題を解決するための手段および発明の効果】
【０００７】
この発明の第１の局面による表示装置は、表示部と、表示部に光を照射するための発光部を含む発光素子と、発光部からの光を拡散するための拡散粒子を含み、発光素子側の第１表面のうち、少なくとも発光素子の発光部に対応する領域において発光素子側になだらかな曲面状に突出する第１凸部が一体的に形成された拡散板とを備える。
【０００８】
この発明の第１の局面による表示装置では、上記のように、発光素子側の第１表面のうち、少なくとも発光素子の発光部に対応する領域において発光素子側になだらかな曲面状に突出する第１凸部が一体的に形成された拡散板を備えることによって、第１凸部がなだらかな曲面状に突出しているので、拡散板の発光素子の発光部に対応する領域に光がほとんど拡散されないような急峻な表面形状を有する境界領域が形成されない。これにより、拡散板の発光素子の発光部に対応する領域で光を十分に表示部側に照射させることができるので、表示部の一部の輝度が低下して周辺よりも暗くなるのを抑制することができる。この結果、表示部の輝度に偏り（むら）が発生するのを抑制することができる。
【０００９】
ここで、発光素子の発光部に対応する領域は、他の領域に比べて発光部からの光量が多いため、発光素子の発光部に対応する領域は他の領域よりも輝度が増加して明るくなりやすい。そこで、この発明の第１の局面による表示装置では、上記のように、少なくとも発光素子の発光部に対応する領域において発光素子側になだらかな曲面状に突出する第１凸部を拡散板に一体的に形成することによって、発光素子側になだらかな曲面状に突出するように形成された第１凸部の第１表面と、拡散粒子が含まれる第１凸部（拡散板）の内部とにより、拡散板の発光素子の発光部に対応する領域に照射される光を、より広範囲に拡散させることができる。これによっても、表示部の発光素子の発光部に対応する領域が他の領域よりも輝度が増加して明るくなるのを抑制することができるので、表示部の輝度に偏りが発生するのを抑制することができる。
【００１０】
上記第１の局面による表示装置において、好ましくは、拡散板の第１凸部は、発光素子の発光部に対応する領域で突出量が最大になるように形成されている。このように構成すれば、発光素子の発光部に対応する領域での拡散板の厚みを、他の領域での拡散板の厚みよりも大きくすることができるので、拡散粒子が含まれる第１凸部の内部でより光を拡散させることができる。これにより、発光素子の発光部に対応する領域に照射される光をさらに広範囲に拡散させることができるので、表示部の発光素子の発光部に対応する領域が他の領域よりも明るくなるのをより抑制することができる。
【００１１】
上記第１の局面による表示装置において、好ましくは、発光素子は、複数設けられており、拡散板の第１凸部は、複数設けられているとともに、複数の発光素子の発光部に対応する領域に各々形成されており、かつ、なだらかな曲面部により互いに接続されている。このように構成すれば、複数の第１凸部がなだらかな曲面部により互いに接続されていることにより、第１凸部同士の接続領域において光がほとんど拡散されないような急峻な表面形状を有する境界領域が形成されない。これにより、拡散板の第１凸部同士の接続領域においても光を十分に表示部側に照射させることができるので、表示部の一部の輝度が低下して周辺よりも暗くなるのを抑制することができる。この結果、表示部の輝度に偏りが発生するのを抑制することができる。また、拡散板の複数の第１凸部を、複数の発光素子の発光部に対応する領域に各々形成することによって、複数の発光素子の発光部に対応する領域に照射される光を広範囲に拡散させることができる。これにより、隣接する発光素子同士の間の領域でも発光素子の発光部に対応する領域と同様の輝度を得るために発光素子同士を近接させる必要がないので、発光素子の数を減少させることができる。
【００１２】
この場合、好ましくは、拡散板では、複数の発光素子の発光部に対応する領域に各々形成された凸状の球面部と、凸状の球面部同士を接続する領域に形成された凹状の曲面部とがなだらかな曲面状に接続されている。このように構成すれば、凹状の曲面部によって、第１凸部同士を容易になだらかに接続することができるので、容易に、拡散板の第１凸部同士の接続領域で光を十分に表示部側に照射させることができる。
【００１３】
上記第１の局面による表示装置において、好ましくは、拡散板には、発光素子とは反対側の第２表面のうち、少なくとも発光素子の発光部に対応する領域において発光素子とは反対側に突出する第２凸部がさらに一体的に形成されている。このように構成すれば、発光素子の発光部に対応する領域での拡散板の厚みを、他の領域での拡散板の厚みよりもより大きくすることができるので、拡散粒子が含まれる第１凸部および第２凸部の内部で十分に光を拡散させることができる。これにより、発光素子の発光部に対応する領域に照射される光をさらに広範囲に拡散させることができるので、表示部の発光素子の発光部に対応する領域が他の領域よりも明るくなるのをより抑制することができる。
【００１４】
この場合、好ましくは、拡散板の第２凸部は、発光素子の発光部に対応する領域で突出量が最大になるように形成されている。このように構成すれば、発光素子の発光部に対応する領域での拡散板の厚みを、他の領域での拡散板の厚みよりもより一層大きくすることができるので、拡散粒子が含まれる第１凸部および第２凸部の内部でより一層光を拡散させることができる。これにより、発光素子の発光部に対応する領域に照射される光をより一層広範囲に拡散させることができるので、表示部の発光素子の発光部に対応する領域が他の領域よりも明るくなるのをより一層抑制することができる。
【００１５】
上記拡散板に第２凸部が形成されている表示装置において、好ましくは、拡散板の第１凸部と第２凸部とは、拡散板の厚み方向の略中央を境として略鏡像対称になるように形成されている。このように構成すれば、拡散板の第１表面と第２表面とを略同一形状にすることができるので、表示装置の組立時に、第１表面と第２表面とを区別する必要がない。これにより、表示装置の組立工程を簡略化することができる。
【００１６】
上記第１の局面による表示装置において、好ましくは、発光素子は、第１凸部が一体的に形成された拡散板を介するとともに、導光板を介さずに表示部に対して光を照射するように構成されている。このように構成すれば、発光素子が表示部および拡散板の直下に配置されることによって、導光板を介さずに、拡散板を介して直接的に光を照射する直下型の表示装置において、発光素子側になだらかな曲面状に突出する第１凸部が一体的に形成された拡散板を設けることによって、表示部の輝度に偏りが発生するのを抑制することができる。
【００１７】
この発明の第２の局面による表示モジュールは、表示部と、表示部に光を照射するための発光部を含む発光素子と、発光部からの光を拡散するための拡散粒子を含み、発光素子側の第１表面のうち、少なくとも発光素子の発光部に対応する領域において発光素子側になだらかな曲面状に突出する第１凸部が一体的に形成された拡散板とを備える。
【００１８】
この発明の第２の局面による表示モジュールでは、上記のように、発光素子側の第１表面のうち、少なくとも発光素子の発光部に対応する領域において発光素子側になだらかな曲面状に突出する第１凸部が一体的に形成された拡散板を備えることによって、第１凸部がなだらかな曲面状に突出しているので、拡散板の発光素子の発光部に対応する領域に光がほとんど拡散されないような急峻な表面形状を有する境界領域が形成されない。これにより、拡散板の発光素子の発光部に対応する領域で光を十分に表示部側に照射させることができるので、表示部の一部の輝度が低下して周辺よりも暗くなるのを抑制することができる。この結果、表示部の輝度に偏り（むら）が発生するのを抑制することができる。また、少なくとも発光素子の発光部に対応する領域において発光素子側になだらかな曲面状に突出する第１凸部を拡散板に一体的に形成することによって、発光素子側になだらかな曲面状に突出するように形成された第１凸部の第１表面と、拡散粒子が含まれる第１凸部（拡散板）の内部とにより、拡散板の発光素子の発光部に対応する領域に照射される光をより広範囲に拡散させることができる。これにより、表示部の発光素子の発光部に対応する領域が他の領域よりも輝度が増加して明るくなるのを抑制することができるので、表示部の輝度に偏りが発生するのを抑制することができる。
【図面の簡単な説明】
【００１９】
【図１】本発明の第１実施形態による液晶表示装置の全体構成を示した斜視図である。
【図２】本発明の第１実施形態による液晶表示装置における表示装置本体の内部構造を示した分解斜視図である。
【図３】図２の４００−４００線に沿った部分的な断面図である。
【図４】本発明の第１実施形態による液晶表示装置における拡散板およびＬＥＤをリアフレーム側から見た平面図である。
【図５】本発明の第２実施形態による液晶表示装置における内部構造を示した断面図である。
【図６】本発明の第２実施形態による液晶表示装置における拡散板およびＬＥＤを示した断面図である。
【図７】本発明の第１実施形態の変形例による液晶表示装置における内部構造を示した断面図である。
【発明を実施するための形態】
【００２０】
以下、本発明の実施形態を図面に基づいて説明する。
【００２１】
（第１実施形態）
まず、図１〜図４を参照して、本発明の一実施形態による液晶表示装置１００の構成について説明する。また、以下に例示する液晶表示装置１００は、ＴＶチューナ機能を備えた液晶テレビジョン装置であってもよいし、ＰＣなどに接続される液晶モニタなどであってもよい。なお、液晶表示装置１００は、本発明の「表示装置」の一例である。
【００２２】
本発明の一実施形態による液晶表示装置１００は、図１に示すように、表示装置本体１０と、表示装置本体１０を回動可能に支持するスタンド２０とを備えている。また、図２に示すように、表示装置本体１０は、樹脂製のフロントキャビネット１１およびリアキャビネット１２と、フロントキャビネット１１およびリアキャビネット１２の間に配置される液晶モジュール３０とを含んでいる。なお、液晶モジュール３０は、本発明の「表示モジュール」の一例である。
【００２３】
フロントキャビネット１１は、図１に示すように、後述する液晶パネル３３が液晶表示装置１００の前面側に露出する部分（表示領域Ｄ）が略矩形形状に切り抜かれた枠体形状を有している。また、図２に示すように、リアキャビネット１２には、スタンド２０の脚部２０ａ（図１参照）を取り付けるための取付部１２ａが一体的に設けられている。また、リアキャビネット１２の外周部には、ネジ９１を挿入するためのネジ挿入孔１２ｂ（７個所）が設けられている。このネジ挿入孔１２ｂにネジ９１が挿入されることによって、リアキャビネット１２がフロントキャビネット１１に固定されている。また、液晶モジュール３０は、ネジ９２によってフロントキャビネット１１との内側（Ａ２側）に取り付けられた状態で、フロントキャビネット１１とリアキャビネット１２との間に配置されている。
【００２４】
また、液晶モジュール３０は、４辺を有して枠状に形成された金属製のフロントフレーム３１と、フロントフレーム３１に取り付けられる金属製のリアフレーム３２とを備えている。
【００２５】
なお、図３は、図２に示す４００−４００線に沿ってＢ方向に延びる面で切断した部分断面図である。ここで、Ｂ方向と直交するＣ方向に沿って延びる面で切断した断面は、Ｂ方向に延びる面で切断した断面と同様になるように構成されている。つまり、Ｃ方向に沿って延びる面で切断した断面は、図３のようになるように構成されている。
【００２６】
フロントフレーム３１は、図３に示すように、表示領域Ｄに対応する略矩形形状の開口３１ａを有する底部３１ｂと、底部３１ｂの外縁部に沿ってＡ２側に延びる壁部３１ｃと、壁部３１ｃの外縁部に沿って略水平方向（Ｂ方向およびＣ方向）に延びる鍔部３１ｄとを有している。また、リアフレーム３２は、開口を有しない底部３２ａと、底部３２ａに対して傾斜した状態で液晶パネル３３側（Ａ１側）に延びる壁部３２ｂと、壁部３２ｂの外縁部に沿って略水平方向（Ｂ方向およびＣ方向）に延びる鍔部３２ｃとを有している。また、フロントフレーム３１の鍔部３１ｄと、リアフレーム３２の鍔部３２ｃとが当接した状態で、リアフレーム３２がフロントフレーム３１に対して図示しないネジ部材を用いて固定されている。これにより、フロントフレーム３１の底部３１ｂとリアフレーム３２の底部３２ａとが対向する領域に空間３０ａが形成されている。
【００２７】
また、空間３０ａ内には、画像を形成するための液晶パネル３３と、液晶パネル３３を支持する樹脂フレーム３４と、光を液晶パネル３３に照射するためのバックライト部４０とが配置されている。樹脂フレーム３４は、Ａ方向に延びる壁部３４ａと、液晶パネル３３をＡ２側から支持する支持部３４ｂとを有している。また、支持部３４ｂは、中央領域に、バックライト部４０からの光を液晶パネル３３に照射するための開口３４ｃを有している。なお、液晶パネル３３は、本発明の「表示部」の一例である。
【００２８】
液晶パネル３３は、フロントフレーム３１の開口３１ａのＡ２側で、かつ、支持部３４ｂの開口３４ｃのＡ１側に配置されている。また、液晶パネル３３は、開口３１ａに対応する表示領域Ｄにおいて、バックライト部４０から照射された光を用いて画像を表示するように構成されている。また、バックライト部４０は、液晶パネル３３のＡ２側に配置されている。
【００２９】
バックライト部４０は、図３に示すように、複数のＬＥＤ（Ｌｉｇｈｔ  Ｅｍｉｔｔｉｎｇ  Ｄｉｏｄｅ）４１と、反射シート４２と、拡散板４３と、拡散シート４４とを含んでいる。複数のＬＥＤ４１は、空間３０ａ内のリアフレーム３２の底部３２ａで、Ｂ方向およびＣ方向に所定の間隔Ｄを隔てて取り付けられている。また、複数のＬＥＤ４１は、共に液晶パネル３３側（Ａ１側）に光を直接的に照射する発光部４１ａを有している。なお、ＬＥＤ４１は、本発明の「発光素子」の一例である。
【００３０】
また、ＬＥＤ４１の発光部４１ａは、発光部４１ａの直上において輝度が最も大きくなる（最も強い光を照射する）ように構成されている。また、発光部４１ａは、発光部４１ａを通りＡ１側に延びる直線Ｅに対して角度α（＝約３０度）傾斜した位置において、輝度が発光部４１ａの直上における輝度の半分になるように構成されている。つまり、ＬＥＤ４１は、指向角（２α）が約６０度になるように構成されている。
【００３１】
反射シート４２は、リアフレーム３２の空間３０ａ内の、底部３２ａのＬＥＤ４１が設けられていない領域と、壁部３２ｂと、フロントフレーム３１の鍔部３１ｄが配置される位置以外の鍔部３２ｃの領域とに配置されている。この反射シート４２は、Ａ２側に向かう光をＡ１側に反射する機能を有する。
【００３２】
拡散板４３は、複数のＬＥＤ４１の液晶パネル３３側（Ａ１側）に配置されている。また、拡散板４３の平坦面状の外縁部は、リアフレーム３２の図示しない係止部によってリアフレーム３２に係止されている。また、拡散板４３は、メタクリル酸メチルとスチレンとの共重合体からなるＭＳ樹脂からなるとともに、内部に酸化チタンやエポキシ樹脂などからなる多数の拡散粒子（図３のドット部）が全体に略均一に分布されている。この拡散板４３は、ＬＥＤ４１から照射された光を多数の拡散粒子により様々な方向に反射することによって、拡散板４３に照射された光を広範囲に拡散させるように構成されている。これにより、拡散板４３に照射された光は、輝度がある程度均一化された状態でＡ１側に照射されるように構成されている。
【００３３】
ここで、第１実施形態では、拡散板４３のＬＥＤ４１側（Ａ２側）の表面４３ａには、Ａ２側に突出する凸部５０が複数形成されている。この凸部５０は、拡散板４３の表面４３ａのうち、外縁部近傍を除く領域で、かつ、ＬＥＤ４１の発光部４１ａに対応する領域であるＬＥＤ４１の発光部４１ａの直上（Ａ１側）の領域に形成されている。また、凸部５０は、凸部５０の中央を通り、厚み方向（Ａ方向）に延びる直線Ｅ上に中心（曲率中心）Ｆが位置する球体のＡ２側の面から構成されている。つまり、凸部５０は、なだらかな曲面状に形成されている。また、凸部５０のうちでＡ２側への突出量が最大になる頂点５０ａは、ＬＥＤ４１の発光部４１ａに対応する領域に形成されている。なお、表面４３ａは、本発明の「第１表面」の一例であり、凸部５０は、本発明の「第１凸部」および「球面部」の一例である。
【００３４】
また、凸部５０のＢ方向およびＣ方向の両端部には、Ａ２側に凹形状を有する曲面部から構成された接続部５１が形成されている。また、凸部５０と接続部５１とは、拡散板４３の表面４３ａに一体的に形成されているとともに、互いになだらかな曲面状に接続されている。これにより、拡散板４３の表面４３ａは、複数の凸部５０と複数の接続部５１とがなだらかな曲線状に接続されることによって、Ｂ方向およびＣ方向に延びる波形状が複数形成されている。なお、接続部５１は、本発明の「曲面部」の一例である。
【００３５】
また、任意のＬＥＤ４１の発光部４１ａの中心から角度β（＝約４５度）傾斜した光が照射される表面４３ａの位置と、隣接するＬＥＤ４１の発光部４１ａの中心から角度β傾斜した光が照射される表面４３ａの位置とが略一致するように、任意のＬＥＤ４１と隣接するＬＥＤ４１とが所定の間隔Ｄを隔てて配置されている。
【００３６】
また、第１実施形態では、拡散板４３の液晶パネル３３側（Ａ１側）の表面４３ｂには、Ａ１側に突出する凸部６０が複数形成されている。この凸部６０は、拡散板４３の表面４３ｂのうち、外縁部近傍を除く領域で、かつ、ＬＥＤ４１の発光部４１ａに対応する領域であるＬＥＤ４１の発光部４１ａの直上（Ａ１側）の領域に形成されている。また、凸部６０は、中心（曲率中心）Ｆを中心とする球体のＡ１側の面から構成されている。つまり、凸部６０は、なだらかな曲面状に形成されている。また、凸部６０のうちでＡ１側への突出量が最大になる頂点６０ａは、ＬＥＤ４１の発光部４１ａに対応する領域に形成されている。なお、表面４３ｂは、本発明の「第２表面」の一例であり、凸部６０は、本発明の「第２凸部」の一例である。
【００３７】
また、凸部６０のＢ方向およびＣ方向の両端部には、Ａ１側に凹形状を有する曲面部から構成された接続部６１が形成されている。また、凸部６０と接続部６１とは、拡散板４３の表面４３ｂに一体的に形成されているとともに、互いになだらかな曲面状に接続されている。これにより、拡散板４３の表面４３ｂは、複数の凸部６０と複数の接続部６１とがなだらかな曲線状に接続されることによって、Ｂ方向およびＣ方向に延びる波形状が複数形成されている。
【００３８】
また、凸部６０および接続部６１は、それぞれ、凸部５０および接続部５１と略同様の形状に形成されている。また、図４に示すように、平面的に（Ａ２側から）見て、凸部５０と凸部６０とは略重なる（オーバーラップする）ように形成されているとともに、接続部５１と接続部６１とは略重なるように形成されている。つまり、図３に示すように、拡散板４３の厚み方向（Ａ方向）の略中央の面を境（対称面）として、凸部５０と凸部６０とが略鏡像対称になるとともに、接続部５１と接続部６１とが略鏡像対称になるように構成されている。この結果、拡散板４３の表面４３ａと表面４３ｂとが略鏡像対称になるように構成されている。
【００３９】
また、発光部４１ａの中心から角度β（＝約４５度）傾斜した光が照射される表面４３ａおよび４３ｂの領域では、拡散板４３は略平坦面状になるように構成されている。これにより、輝度が小さい領域での拡散板４３の厚みを小さくすることが可能であるので、輝度が小さい領域における光の拡散を抑制することが可能である。
【００４０】
また、凸部５０および６０と接続部５１および６１とが形成された拡散板４３は、射出成形などによって一体的に製造されている。これにより、容易に、凸部５０および６０と接続部５１および６１とが形成された拡散板４３を製造することが可能である。
【００４１】
拡散シート４４は、拡散板４３の凸部６０の頂点６０ａ上である、拡散板４３のＡ１側に配置されている。この拡散シート４４は、拡散板４３において拡散された光をさらに拡散することによって、ＬＥＤ４１からの光の輝度をより均一化するように構成されている。この結果、ＬＥＤ４１からＡ１側に照射された光が、拡散板４３および拡散シート４４を介して液晶パネル３３に照射されるように構成されている。
【００４２】
なお、バックライト部４０は、複数のＬＥＤ４１が導光板の側面側に配置されることによって、導光板および拡散板を介して間接的に光を液晶パネル３３に照射するエッジライト型のバックライトとは異なり、複数のＬＥＤ４１が液晶パネル３３および拡散板４３の直下（Ａ２側）に配置されることによって、導光板を介さずに拡散板４３を介して直接的に光を液晶パネル３３に照射する直下型のバックライトからなる。
【００４３】
第１実施形態では、上記のように、凸部５０および６０を、それぞれ、表面４３ａおよび４３ｂのＬＥＤ４１の発光部４１ａに対応する領域になだらかな曲面状に形成することによって、凸部５０および６０がなだらかな曲面状に突出しているので、拡散板４３のＬＥＤ４１の発光部４１ａに対応する領域に光がほとんど拡散されないような急峻な表面形状を有する境界領域が形成されない。これにより、拡散板４３の発光素子のＬＥＤ４１の発光部４１ａで光を十分に液晶パネル３３側に照射させることができるので、液晶パネル３３の一部の輝度が低下して周辺よりも暗くなるのを抑制することができる。この結果、液晶パネル３３の輝度に偏り（むら）が発生するのを抑制することができる。
【００４４】
また、第１実施形態では、上記のように、凸部５０および６０を、ＬＥＤ４１の発光部４１ａに対応する領域にＬＥＤ４１側になだらかな曲面状に形成するとともに、それぞれ、表面４３ａおよび４３ｂに一体的に形成することによって、ＬＥＤ４１側になだらかな曲面状に突出するように形成された凸部５０および６０と、拡散粒子が含まれる凸部５０および６０との間における拡散板４３の内部とにより、拡散板４３のＬＥＤ４１の発光部４１ａに対応する領域に照射される光をより広範囲に拡散させることができる。これにより、液晶パネル３３のＬＥＤ４１の発光部４１ａに対応する領域が他の領域よりも輝度が増加して明るくなるのを抑制することができるので、液晶パネル３３の輝度に偏りが発生するのを抑制することができる。
【００４５】
また、第１実施形態では、上記のように、凸部５０のうちでＬＥＤ４１側（Ａ２側）への突出量が最大になる頂点５０ａと、凸部６０のうちで液晶パネル３３側（Ａ１側）への突出量が最大になる頂点６０ａとを、共に、ＬＥＤ４１の発光部４１ａに対応する領域に形成すれば、ＬＥＤ４１の発光部４１ａに対応する領域での拡散板４３の厚みを、他の領域での拡散板４３の厚みよりもより大きくすることができるので、拡散粒子が含まれる凸部５０および６０の内部で十分に光を拡散させることができる。これにより、ＬＥＤ４１の発光部４１ａに対応する領域に照射される光をさらに広範囲に拡散させることができるので、液晶パネル３３のＬＥＤ４１の発光部４１ａに対応する領域が他の領域よりも明るくなるのをより抑制することができる。
【００４６】
また、第１実施形態では、上記のように、拡散板４３の表面４３ａを複数の凸部５０と複数の接続部５１とをなだらかな曲線状に接続すれば、複数の凸部５０がなだらかな接続部５１により互いに接続されていることにより、凸部５０同士の接続部５１において光がほとんど拡散されないような急峻な表面形状を有する境界領域が形成されない。これにより、拡散板４３の凸部５０同士の接続部５１においても光を十分に液晶パネル３３側に照射させることができるので、液晶パネル３３の一部の輝度が低下して周辺よりも暗くなるのを抑制することができる。この結果、液晶パネル３３の輝度に偏りが発生するのを抑制することができる。また、拡散板４３の複数の凸部５０を、複数のＬＥＤ４１の発光部４１ａに対応する領域に各々形成することによって、複数のＬＥＤ４１の発光部４１ａに対応する領域に照射される光を広範囲に拡散させることができる。これにより、隣接するＬＥＤ４１同士の間の領域でもＬＥＤ４１の発光部４１ａに対応する領域と同様の輝度を得るためにＬＥＤ４１同士を近接させる必要がないので、ＬＥＤ４１の数を減少させることができる。
【００４７】
また、第１実施形態では、上記のように、拡散板４３の凸部５０を球体の一部の面から構成すれば、ＬＥＤ４１の発光部４１ａに対応する領域に照射される光を容易に広範囲に拡散させることができる。また、拡散板４３の表面４３ａに凹形状を有する曲面部から構成された接続部５１を形成すれば、凸部５０同士を容易になだらかに接続することができる。この結果、容易に、拡散板４３の凸部５０同士の接続部５１で光を十分に液晶パネル３３側に照射させることができる。
【００４８】
また、第１実施形態では、上記のように、拡散板４３の厚み方向の略中央の面を境（対称面）として、凸部５０と凸部６０とが略鏡像対称になるとともに、接続部５１と接続部６１とが略鏡像対称になることによって、拡散板４３の表面４３ａと表面４３ｂとを、略鏡像対称になるように構成すれば、拡散板４３の表面４３ａと表面４３ｂとを略同一形状にすることができるので、液晶表示装置１００の組立時に、表面４３ａと表面４３ｂとを区別する必要がない。これにより、液晶表示装置１００の組立工程を簡略化することができる。
【００４９】
また、第１実施形態では、上記のように、バックライト部４０が、ＬＥＤ４１が液晶パネル３３および拡散板４３の直下に配置されることによって、導光板を介さずに拡散板４３を介して直接的に光を液晶パネル３３に照射する直下型のバックライトからなる場合において、凸部５０および６０をなだらかな曲面状に形成することによって、液晶パネル３３の輝度に偏りが発生するのを抑制することができる。
【００５０】
また、第１実施形態では、ＬＥＤ４１の光を拡散させるためのレンズを複数のＬＥＤ４１の各々に設ける必要がないので、製造プロセスを簡素化することができる。
【００５１】
（第２実施形態）
次に、図５および図６を参照して、本発明の第２実施形態について説明する。この第２実施形態では、上記第１実施形態とは異なり、バックライト部２４０が導光板２４６および拡散板２４３を介して間接的に光を液晶パネル３３に照射するエッジライト型のバックライトである場合について説明する。
【００５２】
本発明の第２実施形態の液晶モジュール２３０は、図５に示すように、フロントフレーム２３１とリアフレーム２３２とを備えている。フロントフレーム２３１は、開口３１ａを有する底部３１ｂと、壁部３１ｃとを有している。また、リアフレーム２３２は、底部３２ａと、壁部３２ｂと、底部３２ａと壁部３２ｂとの間でＣ方向に延びるように設けられ、後述するＬＥＤバー２４５が取り付けられる取付部２３２ｄとを有している。この取付部２３２ｄは、リアフレーム２３２のＢ１側に設けられている。
【００５３】
また、バックライト部２４０は、複数のＬＥＤ４１（図６参照）と、反射シート２４２と、拡散板２４３と、複数の拡散シート４４とに加えて、ＬＥＤバー２４５と、導光板２４６とをさらに含んでいる。また、複数のＬＥＤ４１は、図６に示すように、互いにＣ方向に所定の間隔を隔てた状態で、ＬＥＤバー２４５のＢ２側の表面に取り付けられている。また、複数のＬＥＤ４１は、共にＢ２側に光を照射するようにＬＥＤバー２４５に取り付けられている。また、ＬＥＤバー２４５は、図５に示すように、ＬＥＤ４１が実装される側とは反対側のＢ１側の表面がリアフレーム２３２の壁部３２ｂに当接した状態で、Ｃ方向に延びるようにリアフレーム２３２の取付部２３２ｄに取り付けられている。
【００５４】
ここで、第２実施形態では、導光板２４６は、リアフレーム３２の底部３２ａ上に配置された反射シート２４２の液晶パネル３３側（Ａ１側）の表面上に配置されている。この際、ＬＥＤバー２４５に実装された複数のＬＥＤ４１は、導光板２４６の側面２４６ａの厚み方向（Ａ方向）における略中央に発光部４１ａが位置するように配置されている。
【００５５】
また、第２実施形態では、図６に示すように、拡散板２４３は、導光板２４６のＢ１側の側面２４６ａに、Ｃ方向に延びるように取り付けられている。また、拡散板２４３のＬＥＤ４１側（Ｂ１側）の表面４３ａには、Ｂ２側に突出する凸部５０が複数形成されている。また、凸部５０のＣ方向の両端部には、接続部５１が形成されている。この凸部５０と接続部５１とは、共になだらかな曲面状に形成されているとともに、互いになだらかな曲面状に接続されている。また、凸部５０のうち、Ｂ２側への突出量が最大になる頂点５０ａは、ＬＥＤ４１の発光部４１ａに対応する領域に配置されている。
【００５６】
一方、第１実施形態とは異なり、拡散板２４３の表面４３ａとは反対側（Ｂ２側）の表面２４３ｂは、平坦面状に形成されている。この表面２４３ｂは、導光板２４６のＢ１側の側面２４６ａに当接するように構成されている。また、複数の拡散シート４４は、導光板２４６のＡ１側の表面２４６ｂに厚み方向（Ａ方向）に積層された状態で配置されている。
【００５７】
これにより、第２実施形態では、図５に示すように、複数のＬＥＤ４１からＢ２側に照射された光は、拡散板２４３を介して拡散される。そして、拡散板２４３によって拡散された光は、導光板２４６を介して、液晶パネル３３側（Ａ１側）に輝度が略均一化された状態で照射される。そして、複数の拡散シート４４を介して、輝度がより均一化した状態でＡ１側に照射されるように構成されている。つまり、バックライト部２４０は、第１実施形態における、複数のＬＥＤ４１が液晶パネル３３および拡散板４３の直下に配置されることによって、導光板を介さずに拡散板４３を介して直接的に光を液晶パネル３３に照射する直下型のバックライトとは異なり、複数のＬＥＤ４１が導光板２４６の側面２４６ａ側に配置されることによって、導光板２４６および拡散板２４３を介して間接的に光を液晶パネル３３に照射するエッジライト型のバックライトからなる。なお、本発明の第２実施形態のその他の構造は、上記第１実施形態と同様である。
【００５８】
第２実施形態では、上記のように、バックライト部２４０が、複数のＬＥＤ４１が導光板２４６の側面２４６ａ側に配置されることによって、導光板２４６および拡散板２４３を介して間接的に光を液晶パネル３３に照射するエッジライト型のバックライトからなる場合において、凸部５０をなだらかな曲面状に形成することによって、液晶パネル３３の輝度に偏り（むら）が発生するのを抑制することができる。なお、第２実施形態のその他の効果は、上記第１実施形態と同様である。
【００５９】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００６０】
たとえば、上記第１実施形態では、拡散板４３のＬＥＤ４１側の表面４３ａに凸部５０および接続部５１を設けるだけでなく、液晶パネル３３側の表面４３ｂにも凸部６０および接続部６１を設けた例について示したが、本発明はこれに限られない。たとえば、図７に示す第１実施形態の変形例のように、拡散板３４３のＬＥＤ４１側の表面４３ａに凸部５０および接続部５１が設けられていれば、液晶パネル３３側の表面３４３ｂに凸部および接続部を設けなくてもよい。これにより、液晶パネル３３側の表面３４３ｂに凸部を形成しない分、拡散板３４３のＡ方向の長さ（厚み）を小さくすることが可能であるので、液晶表示装置を薄型化することが可能である。
【００６１】
また、上記第１実施形態では、拡散板４３の凸部５０および６０が球面の一部からなる例について示すとともに、上記第２実施形態では、拡散板２４３の凸部５０が球面の一部からなる例について示したが、本発明はこれに限られない。本発明では、凸部がなだらかな曲面状に形成されていれば、球面の一部でなくてもよい。
【００６２】
また、上記第１実施形態では、拡散板４３の凸部５０の頂点５０ａおよび凸部６０の頂点６０ａを共にＬＥＤ４１の発光部４１ａに対応する領域（ＬＥＤ４１の発光部４１ａの直上の領域）に形成した例について示すとともに、上記第２実施形態では、拡散板２４３の凸部５０の頂点５０ａをＬＥＤ４１の発光部４１ａに対応する領域に形成した例について示したが、本発明はこれに限られない。本発明では、凸部の頂点をＬＥＤの発光部に対応する領域に形成しなくてもよい。この際、凸部の頂点はＬＥＤの輝度が大きい領域に形成されるのが好ましい。
【００６３】
また、上記第１および第２実施形態では、拡散シート４４を用いた例について示したが、本発明はこれに限られない。本発明では、拡散板４３および２４３において十分に輝度を均一化することが可能であれば、拡散シート４４は用いなくてもよい。
【００６４】
また、上記第１実施形態では、Ｂ方向およびＣ方向に並ぶようにＬＥＤ４１を配置した例について示すとともに、上記第２実施形態では、Ｃ方向に並ぶようにＬＥＤ４１を配置した例について示したが、本発明はこれに限られない。本発明では、拡散板のＬＥＤ側の（第１）表面のうち、ＬＥＤの発光部に対応する領域に（第１）凸部が形成されていればよく、ＬＥＤは不規則的に配置されていてもよい。
【００６５】
また、上記第１実施形態では、平面的に見て、凸部５０と凸部６０とを略重なる（オーバーラップする）ように形成するとともに、接続部５１と接続部６１とを略重なるように形成した例について示したが、本発明はこれに限られない。本発明では、少なくともＬＥＤの発光部に対応する領域に形成された凸部５０の一部と凸部６０の一部とが、互いに重なっていればよい。
【００６６】
また、上記第１および第２実施形態では、拡散板４３および２４３をＭＳ樹脂からなる例について示したが、本発明はこれに限られない。たとえば、拡散板４３および２４３をＰＳ（ポリスチレン）樹脂などの他の樹脂材料からなるように構成してもよい。
【００６７】
また、上記第１および第２実施形態では、本発明の「表示装置」を、ＴＶチューナ機能を備えた液晶テレビジョン装置や、ＰＣなどに接続される液晶モニタなどに適用した例について示したが、本発明はこれに限られない。たとえば、カーナビゲーションシステムに搭載される液晶モニタや、列車・バス・船舶・航空機などの車内（室内）に搭載される情報表示用モニタ（液晶モニタ）、携帯電話の液晶モニタなどに、本発明の「表示装置」を適用してもよい。
【符号の説明】
【００６８】
３０  液晶モジュール（表示モジュール）
３３  液晶パネル（表示部）
４１  ＬＥＤ（発光素子）
４１ａ  発光部
４３、２４３，３４３  拡散板
４３ａ  表面（第１表面）
４３ｂ  表面（第２表面）
５０  凸部（第１凸部、球面部）
５１  接続部（曲面部）
６０  凸部（第２凸部）
１００  液晶表示装置（表示装置）
【図１】
2012221779.tif 000003
【図２】
2012221779.tif 000004
【図３】
2012221779.tif 000005
【図４】
2012221779.tif 000006
【図５】
2012221779.tif 000007
【図６】
2012221779.tif 000008
【図７】
2012221779.tif 000009